【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
通信チャネルを介して第１のネットワークデバイスで受信された１個または複数個のパケット中の少なくとも１個または複数個の第１のシンボルの第１のシンボルセットについての第１の信号対ノイズ比（ＳＮＲ）平均を決定することと、
前記１個または複数個のパケット中の少なくとも１個または複数個の第２のシンボルの第２のシンボルセットについての第２のＳＮＲ平均を決定することと、
前記第１のＳＮＲ平均と前記第２のＳＮＲ平均との第１の差を決定することと、
前記第１の差がＳＮＲ閾値を超えていると決定したことに応答して、第１のチャネルイベントが少なくとも前記第１のシンボルセットおよび前記第２のシンボルセット中の前記１個または複数個のパケットにて発生したと決定することと、ここにおいて、前記第１のチャネルイベントは、パケット衝突およびインパルス性ノイズのうちの少なくとも１つを備える、
を備える、方法。
【請求項２】
前記第１の差が前記ＳＮＲ閾値を超えていると決定したことに応答して、前記第１のチャネルイベントが前記パケット衝突であるかまたは前記インパルス性ノイズであるかを区別すること
をさらに備える、請求項１に記載の方法。
【請求項３】
前記第１のチャネルイベントが前記パケット衝突であるかまたは前記インパルス性ノイズであるかを区別することは、
前記１個または複数個のパケット中の第３のシンボルの少なくとも１個または複数個の第３のシンボルセットについての第３のＳＮＲ平均を決定することと、
前記１個または複数個のパケット中の第４のシンボルの少なくとも１個または複数個の第４のシンボルセットについての第４のＳＮＲ平均を決定することと、
前記第３のＳＮＲ平均と前記第４のＳＮＲ平均との第２の差を決定することと、
前記第２の差が前記ＳＮＲ閾値を超えていると決定したことに応答して、前記１個または複数個のパケットにて、第２のチャネルイベントが発生したと決定することと
を備える、請求項２に記載の方法。
【請求項４】
前記第１のチャネルイベントと前記第２のチャネルイベントとの間のシンボル数を特定することと、
前記第１の差が、前記第１のＳＮＲ平均から前記第２のＳＮＲ平均への減少であるかどうか決定することと、
前記第２の差が、前記第１のＳＮＲ平均から前記第２のＳＮＲ平均への増大であるかどうか決定することと、
前記第１のチャネルイベントと前記第２のチャネルイベントとの間の前記シンボル数がイベント閾値未満であることに応答して、かつ前記第１の差が低減であることに応答して、かつ前記第２の差が増大であることに応答して、前記第１のチャネルイベントと前記第２のチャネルイベントとをインパルス性ノイズとしてマークすることと
をさらに備える、請求項３に記載の方法。
【請求項５】
前記第２のチャネルイベントは、前記第１のチャネルイベントに後続する、請求項４に記載の方法。
【請求項６】
前記第１のチャネルイベントと前記第２のチャネルイベントの間のシンボル数を特定することと、
前記第１の差が、前記第１のＳＮＲ平均から前記第２のＳＮＲ平均への減少であるかどうか決定することと、
前記第２の差が、前記第１のＳＮＲ平均から前記第２のＳＮＲ平均への増大であるかどうか決定することと、
前記第１のチャネルイベントと前記第２のチャネルイベントとの間の前記シンボル数が前記イベント閾値を超えていることに応答して、または前記第１の差が増大であることに応答して、または前記第２の差が減少であることに応答して、前記第１のチャネルイベントと前記第２のチャネルイベントとをパケット衝突としてマークすることと
をさらに備える、請求項３に記載の方法。
【請求項７】
通信チャネルを介して１個または複数個のパケットを受信するように構成されたネットワークインターフェースと、
前記ネットワークインターフェースと通信可能に接続されたノイズ検出部と
を備え、前記ノイズ検出部は、
通信チャネルを介して第１のネットワークデバイスで受信された１個または複数個のパケット中の少なくとも１個または複数個の第１のシンボルの第１のシンボルセットについての第１の信号対ノイズ比（ＳＮＲ）平均を決定し、
前記１個または複数個のパケット中の少なくとも１個または複数個の第２のシンボルの第２のシンボルセットについての第２のＳＮＲ平均を決定し、
前記第１のＳＮＲ平均と前記第２のＳＮＲ平均との第１の差を決定し、
前記第１の差がＳＮＲ閾値を超えていると決定したことに応答して、第１のチャネルイベントが少なくとも前記第１のシンボルセットおよび前記第２のシンボルセット中の前記１個または複数個のパケットにおいて発生したと決定する、ここにおいて、前記第１のチャネルイベントは、パケット衝突およびインパルス性ノイズのうちの少なくとも１つを備える、
ように構成された、装置。
【請求項８】
前記ノイズ検出部は、
前記第１の差が前記ＳＮＲ閾値を超えていると決定したことに応答して、前記第１のチャネルイベントが前記パケット衝突であるかまたは前記インパルス性ノイズであるかを区別する
ように構成された、請求項７に記載の装置。
【請求項９】
前記ノイズ検出部は、
前記１個または複数個のパケット中の第３のシンボルの少なくとも１個または複数個の第３のシンボルセットについての第３のＳＮＲ平均を決定し、
前記１個または複数個のパケット中の第４のシンボルの少なくとも１個または複数個の第４のシンボルセットについての第４のＳＮＲ平均を決定し、
前記第３のＳＮＲ平均と前記第４のＳＮＲ平均との第２の差を決定し、
前記第２の差が前記ＳＮＲ閾値を超えていると決定したことに応答して、前記１個または複数個のパケットにて、第２のチャネルイベントが発生したと決定する
ようにさらに構成された、請求項８に記載の装置。
【請求項１０】
前記ノイズ検出部は、
前記第１のチャネルイベントと前記第２のチャネルイベントとの間のシンボル数を特定し、
前記第１の差が、前記第１のＳＮＲ平均から前記第２のＳＮＲ平均への減少であるかどうか決定し、
前記第２の差が、前記第１のＳＮＲ平均から前記第２のＳＮＲ平均への増大であるかどうか決定し、
前記第１のチャネルイベントと前記第２のチャネルイベントとの間の前記シンボル数がイベント閾値未満であることに応答して、かつ前記第１の差が低減であることに応答して、かつ前記第２の差が増大であることに応答して、前記第１のチャネルイベントと前記第２のチャネルイベントとをインパルス性ノイズとしてマークする
ように構成された、請求項９に記載の装置。
【請求項１１】
前記ノイズ検出部は、
前記第１のチャネルイベントと前記第２のチャネルイベントとの間のシンボル数を特定し、
前記第１の差が、前記第１のＳＮＲ平均から前記第２のＳＮＲ平均への減少であるかどうか決定し、
前記第２の差が、前記第１のＳＮＲ平均から前記第２のＳＮＲ平均への増大であるかどうか決定し、
前記第１のチャネルイベントと前記第２のチャネルイベントとの間の前記シンボル数が前記イベント閾値を超えていることに応答して、または前記第１の差が増大であることに応答して、または前記第２の差が減少であることに応答して、前記第１のチャネルイベントと前記第２のチャネルイベントとをパケット衝突としてマークする
ように構成された、請求項９に記載の装置。
【請求項１２】
コンピュータ上で実行されると、請求項１乃至請求項６のうちの何れかに記載の方法を実行するための命令を備えるコンピュータプログラム。